(57)【要約】【課題】実際の建設現場に対応した任意の水路勾配を容易に実現可能であり、耐久性と経済性に優れ、かつ設置工事の容易なＵ字型溝を提供する。【解決手段】側壁が切断可能な部材からなるＵ字型溝において、底面ならびに左右側壁からなるＵ字型溝の本体部と、各側壁の外側にその長手方向に沿って所定の間隔で設けられた垂直方向ガイド溝と、ガイド溝内においてその垂直方向に滑動自在に設けられた係止部材と、当該係止部材を介して各側壁の外側にその長手方向に亘って装着される長尺アングル部材と、当該長尺アングル部材をＵ字型溝が埋設される開削溝底部のコンクリート打設面から所定の高さに固定保持する保持部材と、本体部の開放された上面に嵌合して架設されその上部にグレーチングを担持する掩蓋部とを設け、各側壁の外側に装着された長尺アングル部材に沿って任意の水路勾配に応じて本体部の側壁を切断する。【選択図】図７
0003145456.tif 000002
【実用新案登録請求の範囲】
【請求項１】
その側壁が切断可能な部材からなるＵ字型溝であって、
底面ならびに左右の側壁からなるＵ字型溝の本体部と、
前記側壁の各々の外側に、その長手方向に沿って所定の間隔で設けられた垂直方向ガイド溝と、
前記垂直方向ガイド溝の溝内において、その垂直方向について滑動自在に設けられた係止部材と、
前記係止部材を介して前記側壁の各々の外側に、その長手方向に亘って装着される長尺アングル部材と、
前記長尺アングル部材を、前記本体部が埋設される開削溝底部のコンクリート打設面から所定の高さに固定保持する保持部材と、
前記本体部の開放された上面に嵌合して架設され、その上部にグレーチングを担持する掩蓋部と、を含み、
前記側壁の各々の外側に装着された長尺アングル部材に沿って、任意の水路勾配に応じて前記側壁の各々が切断可能なＵ字型溝。
【請求項２】
前記本体部の底面ならびに左右側壁の内側は、凹凸のない平滑面によって構成されていることを特徴とする請求項１に記載のＵ字型溝。
【請求項３】
前記係止部材は、前記垂直方向ガイド溝の溝内にその端部が滑動自在に挿通された係止ボルトおよびナットであり、前記保持部材は、開削溝底部のコンクリート打設面において前記本体部の埋設される長手方向に沿って所定の間隔で植設されたアンカーボルトおよびナットであることを特徴とする請求項１または２に記載のＵ字型溝。
【考案の詳細な説明】
【技術分野】
【０００１】
本考案は、例えば、道路の側溝や工場・住宅地等の排水設備などに用いられるＵ字型溝に関するものである。
【背景技術】
【０００２】
道路の側溝や各種施設の排水設備等においては、従来から、コンクリートや強化樹脂等の部材で作られた各種タイプのＵ字型溝が広く用いられている。ところで、排水路の排水を効率良く行なうためには、排水路全体に一定の水路勾配を設け、その上流から下流に向かって排水が自然と流れるような構造とすることが好ましい。一方、既に傾斜のある斜面地に構築される排水路では、その傾斜に応じた所定の水路勾配を設定する必要がある。
【０００３】
一般に、コンクリートや強化樹脂等の部材によって一体成型され、大量生産されるＵ字型溝は、その量産性と低価格性を担保するため、同一構造・同一形状のマスプロ製品であり、その底面は扁平な構造となっている場合が多い。
【０００４】
したがって、これらのＵ字型溝を多数連接して排水路を形成するには、先ず、排水路の全長に亘りＵ字型溝を埋設する溝を開削し、その後、開削溝の底部にコンクリートなどの充填部材を打設して所定の水路勾配を設け、これらの充填部材が硬化した後、その上に複数のＵ字型溝を連接・配置して所定の水路勾配を持った排水路を構築する工法が一般に採用されている。
【０００５】
しかしながら、このような工法では、所定の水路勾配を設けるためコンクリート等による打設工事が必須となる。一般に、このような工事は、必要とされる水路勾配をＵ字型溝の埋設地の傾斜から相対的に決める必要があり、かかる工事を円滑に行なうためには、極めて高度の土木工事の技量を有する作業者が必要とされた。
【０００６】
また、開削溝の底部におけるコンクリート等の打設工事が完了しなければＵ字型溝を埋設することができず、打設工事による工事費用が増加するだけでなく、工事に要する期間全体が長期化するという問題もあった。
【０００７】
このような問題を解決すべく、従来、特許文献１ないし３に示されるような発明が開示されている。因みに、特許文献１に開示された発明は、図９ａ、ｂに示すようにＵ字型溝の本体部１において、その左右の側壁部１ａ、１ｂの上部に高さ調整部材２および３を継ぎ足した構造になっている。
【０００８】
高さ調整部材２および３は、左右の側壁部１ａ、１ｂに対してボルト４ａおよびナット４ｂによって係止されており、その垂直方向の取り付け位置を自在に調整できる構造となっている。そして、高さ調整部材２、３の肩部２ａおよび３ａによって、Ｕ字型溝の蓋部であるグレーチング６が担持される。
【０００９】
したがって、グレーチング６の表面が地表面と平行となるように、高さ調整部材２および３の左右側壁部１ａ、１ｂに対する取り付け位置を調整することによって、Ｕ字型溝の底部１ｃに所定の水路勾配を設けることができる。
【００１０】
一方、特許文献２に開示された発明は、図１０ａに示すように、予め本体部１０の長手方向に対して所定の傾斜を付けたＵ字型溝を、Ｕ字型溝埋設のために開削した溝底部に並べたものである。さらに、当該発明ではＵ字型溝の長手方向に亘って、所定の間隔でブラケット部材２１（図１０ｂ参照）を開削溝底部と本体部１０の底面１１との間に挟み、かかるブラケット部材２１を、アンカーボルト２６を介して開削溝底部のコンクリート打設面に取り付ける構成となっている（図１０ｃ参照）。
【００１１】
したがって、かかる構造によれば、前述の図１０ｃからも明らかなように、アンカーボルト２６の長さを調整することによって、Ｕ字型溝の本体部１０に所望の水路勾配を設けることが可能となる。
【００１２】
また、特許文献３に開示された発明は、図１１ａに示す如く、暗渠型のＵ字型溝１の内部に特殊な治工具を用いてセメントなどの充填材（図中のｃ部分）を打設して、Ｕ字型溝１内に予め所定の水路勾配を設けるものである。そして、かかるＵ字型溝１〜３を順次、排水路の開削溝底部に配置することにより、図１１ｂに示されるような連続した水路勾配を有する排水路を建設することができる。
【００１３】
以上の特許文献１ないし３に開示された発明によれば、Ｕ字型溝本体、或いはそれに付随した部材のみを調整・設定することによって、任意の水路勾配を持つ排水路を構築することが可能となる。したがって、これらの発明に係るＵ字型溝を使用した場合、排水路工事において熟練した作業者を要する事も無く、短期間の内に排水路の施行を完了させることができる。
【００１４】
【特許文献１】特開０７−２８６３５８号公報
【特許文献１】特開０８−２０９７９４号公報
【特許文献２】特開１１−２６４１７８号公報
【考案の開示】
【考案が解決しようとする課題】
【００１５】
しかしながら、特許文献１や特許文献２に開示された発明では、水路勾配の調整を、左右側壁部１ａ、１ｂに取り付けられた高さ調整部材２および３の取付け位置をスライドさせて行なうか（特許文献１）、或いは、Ｕ字型溝の本体部１０の下に挿入されたブラケット部材２１を固定するアンカーボルト２６の植え込み長さを調整（特許文献２）して行なっているので、水路勾配の大幅な調整を行なうことが難しい。
【００１６】
また、特許文献１の発明では、図９ｂからも明らかなように、高さ調整部材２、３が直接に側溝の蓋となるグレーチング６を担持する構造となっている。このため、グレーチング６に加わる通行人や通行車両等の荷重が直接に高さ調整部材２、３に加わり、高さ調整部材２、３を側壁部１ａ、１ｂに固定しているボルト４ａおよびナット４ｂ等の係止部材に歪みや緩み、或いは損傷などを生ずるおそれがあった。
【００１７】
また、特許文献２の発明では、Ｕ字型溝の製造工程において、予め本体部１０の側壁をある程度の傾斜を持った形に成型する必要があり、実際の建設現場において必要とされる各種の水路勾配に対して汎用性を欠くという問題もあった。
【００１８】
さらに、特許文献３に開示された発明においては、予め暗渠型のＵ字型溝の底面にセメントやモルタルなどの充填材で水路勾配を打設してしまうため、実際に排水路の施行を行なう際に水路勾配の変更が出来ないという問題があった。
【００１９】
本考案は、このような従来からの課題を解決することを目的としたものであって、より具体的には、実際の建設現場に対応した任意の水路勾配を容易に実現可能であり、耐久性と経済性に優れ、かつ設置工事の容易なＵ字型溝を提供することを目的とする。
【課題を解決するための手段】
【００２０】
本考案の第１の観点によるＵ字型溝は、前述の目的を達成するため、その側壁が切断可能な部材からなるＵ字型溝であって、底面ならびに左右の側壁からなるＵ字型溝の本体部と、前記側壁の各々の外側に、その長手方向に沿って所定の間隔で設けられた垂直方向ガイド溝と、前記垂直方向ガイド溝の溝内において、その垂直方向について滑動自在に設けられた係止部材と、前記係止部材を介して前記側壁の各々の外側に、その長手方向に亘って装着される長尺アングル部材と、前記長尺アングル部材を、前記本体部が埋設される開削溝底部のコンクリート打設面から所定の高さに固定保持する保持部材と、前記本体部の開放された上面に嵌合して架設され、その上部にグレーチングを担持して固定する掩蓋部とを含み、前記側壁の各々の外側に装着された長尺アングル部材に沿って、前記側壁の各々が任意の水路勾配に応じて切断できることを特徴とする。
【００２１】
したがって、このような構成によれば、Ｕ字型溝側壁の外側に沿って所定の間隔で設けられた複数の係止部材の各々を、垂直方向ガイド溝内の異なる垂直位置に固定し、かかる係止部材を介してＵ字型溝側壁の外側に亘って長尺アングル部材を装着することができる。すなわち、長尺アングル部材は、Ｕ字型溝の底面に対して所定の傾斜角をもってＵ字型溝側壁の外側に取り付けられる。
【００２２】
一方、長尺アングル部材は、保持部材によって開削溝底部のコンクリート打設面から所定の高さに固定保持されるため、Ｕ字型溝の底面には所定の水路勾配が設定されることになる。なお、Ｕ字型溝側壁は、長尺アングル部材に沿ってその長手方向に亘って切断されるため、Ｕ字型溝側壁の上部は、Ｕ字型溝が埋設された傾斜地の地面と水平となる。なお、Ｕ字型溝の開放された上面には、掩蓋部を介してグレーチング（Ｕ字型溝の蓋）が設置されることになる。
【００２３】
また、本考案の第２の観点によるＵ字型溝は、上記第１の観点において、前記本体部の底面ならびに左右側壁の内側は、凹凸のない平滑面のみによって構成されていることを特徴とする。
【００２４】
したがって、このような構成によれば、Ｕ字型溝の内側に係止部材や保持部材などによる突出部や開口部等を一切設ける必要がないので、Ｕ字型溝の内側は凹凸のない平滑面のみとなり、Ｕ字型溝内の排水を円滑に流すことが可能となる。
【００２５】
また、本考案の第３の観点によるＵ字型溝は、上記第１または第２の観点において、前記係止部材は、前記垂直方向ガイド溝の溝内にその端部が滑動自在に挿通された係止ボルトおよびナットであり、前記保持部材は、開削溝底部のコンクリート打設面において前記本体部の埋設される長手方向に沿って所定の間隔で植設されたアンカーボルトおよびナットであることを特徴とする。
【００２６】
したがって、このような構成によれば、Ｕ字型溝側壁の外側に設けられた垂直方向ガイド溝の溝内にその端部が滑動自在に嵌着された係止ボルトおよびナットによって、長尺アングル部材をＵ字型溝側壁の外側に装着することが可能である。また、開削溝底部のコンクリート打設面において前記本体部の埋設される長手方向に沿って所定の間隔で植設されたアンカーボルトおよびナットによって、かかる長尺アングル部材を開削溝底部のコンクリート打設面から所定の高さに固定保持することができる。
【考案の効果】
【００２７】
本考案によれば、軽量で取り扱いが容易であり、かつ耐久性と経済性に優れたＵ字型溝を提供することができ、熟練した土木作業者を要することなく、実際の建設現場に対応した任意の水路勾配を持った排水路を短期間の工事で容易に構築することができる。
【考案を実施するための最良の形態】
【００２８】
本考案を実施するための最良の形態である実施例について、添付図面の図１〜８を参照しつつ以下に説明を行う。
【００２９】
先ず、本実施例によるＵ字型溝の基本部分の構造を図１に示す。因みに、図１ａはその平面図（Ｕ字型溝の開放上面から見た図）であり、図１ｂはその正面図（Ｕ字型溝を長手方向側面から見た図）を、図１ｃはその側面図（Ｕ字型溝をＵ字型開放側面から見た図）をそれぞれ表している。
【００３０】
同図において、Ｕ字型溝本体部１００（以下単に「本体部１００」という）は、例えば、強化樹脂や金属、或いはコンクリート等の材料で成型されたＵ字型溝の基本構造部である。なお、本体部１００の材質はこれらの材料に限られるものではなく、一般のＵ字型溝として要求される強度ならびに耐水性を有し、かつその切断が容易なものであればどのような材料を用いても良い。
【００３１】
図１の各図からも明らかなように、本体部１００は、主に底部１０１および左右の側壁部１０２によってその基本構造が形作られている。本体部１００の各部分は、例えば、樹脂部材使用時の射出成型加工や、金属部材使用時のプレス加工等によって一体型として製造するようにしても良いし、或いは、各部の部材を単独に製造した後に、これらの部材を合成して本体部１００の全体を製造するようにしても良い。
【００３２】
本体部１００の長手方向は、例えば、１００センチメートルや５０センチメートルなどの所定の長さに作られており、その長さは本考案の実施態様に応じて任意に定めることができる。なお、実際の排水路の敷設工事においては、複数の本体部１００を、その長手方向に連結し、各々の接続部にシーリングが施されて所定長の排水路が構築されることは言うまでもない。
【００３３】
一方、図１ｂからも明らかなように、側壁部１０２の外側には、その長手方向に沿って所定の間隔で垂直方向ガイド溝部材１０３（以下単に「ガイド溝１０３」という）が設けられている。なお、図１ｂでは、ガイド溝１０３が側壁部１０２の外側に２箇所しか示されていないが、本考案の実施は、かかる事例に限定されるものではなく、側壁部１０２に所定の間隔で３箇所以上のガイド溝１０３を設ける構造としても良い。
【００３４】
ガイド溝１０３は、図２ａの平面図に示されるように、その水平方向についてコの字型の断面を有する部材であり、図２ｂの正面図に示される如く、その中央部に垂直方向のスライド孔１０４を設けたものである。スライド孔１０４には、係止ボルト１０６の端部が挿通されており、かかる係止ボルト１０６は係止ナット１０７によってガイド溝１０３に固定されている。
【００３５】
なお、図２では、係止ボルト１０６の端部がガイド溝１０３内に位置しているが、本考案の実施はかかる事例に限定されるものではなく、例えば、係止ボルト１０６の頭部の方をガイド溝１０３内に置くようにしても良い。
【００３６】
図２からも明らかなように、係止ボルト１０６と係止ナット１０７との螺合状態を解除・締結することによって、スライド孔１０４の垂直方向に沿った任意の位置に係止ボルト１０６および係止ナット１０７を固定することができる。なお、係止ボルト１０６を係止ナット１０７で固定する際には、後述する長尺アングル１０５を挟合してこれを係止する。また、長尺アングル１０５を挟合して係止ボルト１０６と係止ナット１０７とを締結する際には、緩み防止のためスプリング・ワッシャー等の座金類を介在させることが好ましい。
【００３７】
なお、係止ボルト１０６の垂直方向の固定位置を、排水路建設の工事現場でも容易に確認できるようにするため、図２ｂに示すように、スライド孔１０４に沿ってガイド溝１０３の前面に所定のスケール（長さ目盛）を刻むことが好ましい。
【００３８】
ガイド溝１０３は、本体部１００とは別部材で製造してこれを本体部１００に溶接や融着等の方法で接合するようにしても良いし、或いは、本体部１００と同一部材として最初から一体型に成型するようにしても良い。
【００３９】
なお、ガイド溝１０３は、図１に示すように側壁部１０２の外側だけではなく、その延長部を底部１０１の下にまで延進させ、反対側の側壁部１０２に設けられたガイド溝１０３と連結するような構造としても良い。このような構造を採用することによって本体部１００全体の強度を増すことが可能であり、Ｕ字型溝としての実用性を高めることができる。
【００４０】
続いて、前述の長尺アングル１０５について説明を行なう。長尺アングル１０５は、例えば、ステンレス鋼などの鋼材を用いた略Ｌ型の断面を持つ長尺部材であり、本体部１００の長手方向に沿ってその側壁部１０２の外側に装着される。
【００４１】
長尺アングル１０５の概略構造を図３に示す。因みに、図３ａはその平面図（本体部１００に装着された場合のＵ字型溝の開放上面方向から見た図）であり、図３ｂはその正面図（本体部１００に装着された場合のＵ字型溝の長手方向側面から見た図）、図３ｃはその部分斜視図をそれぞれ表している。
【００４２】
図３ｂの正面図に示す如く、長尺アングル１０５の垂直片（本体部１００に装着された際に垂直となるＬ型片の一方）には、前述の係止ボルト１０６を挿通させるための貫通孔１０８が設けられている。貫通孔１０８の形状は単純な丸孔ではなく長尺アングル１０５の長手方向にその長径を有する楕円孔となっている。なお、長尺アングル１０５に設けられた貫通孔１０８の位置並びに個数は、側壁部１０２の外側に設けられたガイド溝１０３の取り付け位置並びに取り付け個数によって変動することはいうまでもない。
【００４３】
一方、図３ａの平面図に示すように、長尺アングル１０５の水平片（本体部１００に装着された際に水平となるＬ型片の一方）には、長尺アングル１０５を側壁部１０２の外側に並行して装着した際に、前述のガイド溝１０３を嵌合させるための切り欠き部１０９が設けられている。
【００４４】
また、長尺アングル１０５の水平片には、後述するアンカーボルト１１１およびアンカーボルト係止ナット１１２を用いて長尺アングル１０５を固定する際に利用される貫通孔１１０が設けられている。なお、貫通孔１１０の位置および個数は、本考案にかかるＵ字型溝が埋設される開削溝の底部に植設されたアンカーボルト１１１の設定間隔や本数によって変動することはいうまでもない。
【００４５】
なお、係止ボルト１０６および係止ナット１０７を用いて、本体部１００の側壁部１０２の外側に長尺アングル１０５を装着した際の様子を図４に示す。因みに、図４ａはその平面図（Ｕ字型溝の開放上面方向から見た図）、図４ｂはその正面図（Ｕ字型溝を長手方向側面から見た図）、図４ｃはその側面図（Ｕ字型溝をＵ字型開放側面から見た図）をそれぞれ表している。
【００４６】
次に、本考案に係るＵ字型溝を設置する際の手順について図５および図６に基づいて説明する。先ず、Ｕ字型溝を設置するため開削された溝底部のコンクリート打設面にＵ字型溝の長手方向に沿って所定の間隔を置いて植設されたアンカーボルト１１１に、アンカーボルト係止ナット１１２を介して長尺アングル１０５を固定する（図５ａ参照）。この際、水準器や各種のスケール等の計測器を用いて、長尺アングル１０５が溝底部のコンクリート打設面から所定の高さとなるように調整することは言うまでもない。
【００４７】
長尺アングル１０５を固定する際に、アンカーボルト係止ナット１１２によって長尺アングル１０５をアンカーボルト１１１に直接固定しても良いが、工事における利便性等の観点から、図５ａに示すように、補助部材であるコの字型金具１１７を用いて長尺アングル１０５をアンカーボルト１１１に固定することが好ましい。
【００４８】
この様子を、図５ａのα部を拡大した図５ｂに基づいて説明する。すなわち、長尺アングル１０５のＬ型部材裏面に、補助部材のコの字型金具１１７を溶接等の手段によって予め取り付けておき、かかるコの字型金具１１７を貫通したアンカーボルト１１１をアンカーボルト係止ナット１１２に螺合させ、長尺アングル１０５とアンカーボルト１１１との固定を行なうようにする。因みに、アンカーボルト係止ナット１１２の締結作業は、長尺アングル１０５の水平片に穿かれた貫通孔１１０から行なうようにすれば良い。
【００４９】
なお、長尺アングル１０５をアンカーボルト１１１に直接に固定する際の、補助部材の形状ならびに使用形態は上記の事例に限定されるものではなく、通常の建設工事で用いられるものであれば、全ての形状ならびに使用形態が利用可能であることはいうまでもない。
【００５０】
アンカーボルト１１１によって、長尺アングル１０５を溝底部のコンクリート打設面から所定の高さに固定した後、図６ａに示すように、Ｕ字型溝の本体部１００を左右の長尺アングル１０５の間に設置する。続いて、係止ボルト１０６を長尺アングル１０５の垂直片に設けられた係止ボルト貫通孔１０８に挿通させ係止ナット１０７で仮止めする。
【００５１】
次に、係止ボルト１０６と係止ナット１０７との螺合を一旦緩め、水準器等の計測器を用いて本体部１００の底面１０１に必要とされる水路勾配を設定する。その後、係止ボルト１０６と係止ナット１０７を再び螺合・締結し、本体部１００に長尺アングル１０５を堅固に固定する（図６ｂ参照）。
【００５２】
なお、図に６ｂ示されるように、所定の水路勾配に応じて本体部１００が傾斜した状態で、左右側壁部１０２のガイド溝１０３と長尺アングル１０５が当接されることになる。このため、長尺アングル１０５の垂直片に設けられた係止ボルト貫通孔１０８が単純な丸孔の場合、ガイド溝１０３に設けられたスライド孔１０４と、長尺アングル１０５の係止ボルト貫通孔１０８が一致せず、双方の孔に係止ボルト１０６を挿通することができない場合がある。
【００５３】
本考案の実施例においては、前述したように、長尺アングル１０５に設けられた係止ボルト貫通孔１０８の形状は、単純な丸孔ではなく、本体部１００の傾斜に対応すべく、長尺アングル１０５の長手方向にその長径を有する楕円孔となっている。このため、本体部１００を傾斜させた場合でも、長尺アングル１０５の係止ボルト貫通孔１０８と、ガイド溝１０３のスライド孔１０４は、ずれることがなく係止ボルト１０６を双方の孔に挿通させることができる。
【００５４】
本体部１００が所定の傾斜を保って長尺アングル１０５に固定されると、作業者は電動カッターなどの切断工具を用い、長尺アングル１０５に沿って、すなわち図６ｂに示されるＢ−Ｂ’の線に沿って、本体部１００の左右の側壁部１０２を切断する。この際に、鋼製の長尺アングル１０５が切断時における一種のガイド金具となるので、側壁部１０２の切断作業を極めて容易に進めることができる。
【００５５】
かかる切断作業によって、図６ｃに示されるような所定の水路勾配を持った排水路を容易に実現することが可能となる。なお、本考案によるＵ字型溝の本体部１００が長尺アングル１０５を介して、アンカーボルト１１１に担持された際の斜視図を図７に示す。
【００５６】
以上の記載では、アンカーボルト１１１に長尺アングル１０５を固定した後、本体部１００に所定の水路勾配を付けて長尺アングル１０５に固定する工事方式を説明したが、本考案にかかるＵ字型溝の工事方式はこれに限定されるものではない。例えば、予め本体部１００の側壁部１０２に所定の水路勾配を付けて長尺アングル１０５を固定しておき、本体部１００と長尺アングル１０５の合一体をアンカーボルト１１１に取り付けるようにしても良い。
【００５７】
続いて、本考案のＵ字型溝本体部１００の開放上面に架設される掩蓋部１１３について説明を行なう。先ず、掩蓋部１１３の概略構造を図８に示す。因みに、図８ａはその平面図（本体部１００に架設された場合のＵ字型溝開放上面から見た図）であり、図８ｂは、本体部１００が実際に埋設された際のＵ字型溝の断面図を表している。
【００５８】
掩蓋部１１３は、例えば、ステンレス鋼などの鋼材を溶接、或いはプレス加工することによって製造された部材であり、主に、左右の上縁肩部材１１４、左右上縁部材同士を互いに連接する上縁部連接部材１１５、および左右上縁部の外側に突出した上縁部固定部材１１６から構成されている。なお、上縁部連接部材１１５及び上縁部固定部材１１６の設定位置や設定数は、図８に示された事例に限定されるものではなく、実際の実施形態に応じて自在に変更し得るものである。
【００５９】
掩蓋部１１３は、図８ｂのＵ字型溝埋設時の断面図に示されるように、Ｕ字型溝の本体部１００の開放上面に架設され、さらに、その上にグレーチング２００が置かれる構造となる。すなわち、上縁部連接部材１１５が本体部１００の開放上面内に嵌合され、かつ上縁部固定部材１１６が、Ｕ字型溝を埋設するために設けられた開削溝のコンクリート打設面から突出している鉄筋３００に溶接され固定される。
【００６０】
また、Ｕ字型溝の蓋となるグレーチング２００は、同図に示されるように左右の上縁肩部材１１４によって担持されることになる。なお、上縁部固定部材１１６が鉄筋３００に溶接され固定された後は、排水路内における清掃などの業務を円滑に行なう観点から、左右の上縁肩部材１１４同士を連結している上縁部連接部材１１５を切除することが好ましい。
【００６１】
なお、本体部１００の開放上面に掩蓋部１１３を嵌合させ、掩蓋部１１３の外側に突出している上縁部固定部材１１６を鉄筋３００に溶接した後は、Ｕ字型溝周囲の開削溝内にコンクリートを打設して排水路の建設工事が完了となる。
【００６２】
以上の記載では、一つのＵ字型溝の本体部を例にとって説明を行なったが、所定の長さの排水路を構築するためには、複数の本体部をその長手方向に連接して上記一連の工事を行なう事はいうまでもない。この場合、各々の本体部の繋ぎ目毎に、排水が漏洩しないためのシーリング処理を施す必要が生ずるが、かかる処理は本考案の骨子とは直接の関りがないためその説明を省略する。
【００６３】
また、以上の実施例では、本体部１００と長尺アングル１０５とを固定する係止部材として、係止ボルト１０６および係止ナット１０７を使用したが、本考案の実施はかかる事例に限定されるものではない。例えば、ガイド溝１０３の内部にその垂直方向に滑動自在に上下するラチェット機構を設け、かかるラチェット機構に連動した係止部材によって長尺アングル１０５を本体部１００の側壁に係止・固定するようにしても良い。
【００６４】
また、本体部１００と長尺アングル１０５とを、アンカーボルト１１１を用いずに、Ｕ字型溝を埋設するために設けられた開削溝のコンクリート打設面から突出している鉄筋３００を用いて、開削溝の底部から所定の高さに保持・固定するようにしても良い。
【００６５】
なお、本考案の実施形態は、以上に説明した各実施例に限定されるものではなく、例えば、各々の実施例を構成する各部位の形状や配置或いはその素材等は、本考案の趣旨を逸脱することなく、現実の実施態様に即して適宜変更ができるものであることは言うまでもない。
【産業上の利用可能性】
【００６６】
以上に説明した本考案の構成は、道路の側溝や、各種の施設で用いられる排水溝において、その利用が可能である。
【図面の簡単な説明】
【００６７】
【図１】本考案の実施例であるＵ字溝の本体部の概略構造を示す説明図である。
【図２】図１のＵ字溝側壁の外側に付設された垂直方向ガイド溝部材の概略構造を示す説明図である。
【図３】図１のＵ字溝側壁の外側に、その長手方向に沿って装着される長尺アングルの構造を示す説明図である。
【図４】図１のＵ字溝本体部に装着された長尺アングルの様子を示す説明図である。
【図５】長尺アングル部材の固定方法を示す説明図である。
【図６】本考案の実施例であるＵ字溝の設置手順を示す説明図である。
【図７】本考案の実施例であるＵ字溝の構造を示す斜視図である。
【図８】本考案実施例のＵ字溝に架設される掩蓋部の様子を示す説明図である。
【図９】従来技術による水路勾配が調整可能なＵ字溝の構造を説明する図である。
【図１０】従来技術による水路勾配が調整可能なＵ字溝の構造を説明する図である。
【図１１】従来技術による水路勾配が調整可能なＵ字溝の構造を説明する図である。
【符号の説明】
【００６８】
１００    …  Ｕ字型溝本体部
１０１    …  底部
１０２    …  側壁部
１０３    …  垂直方向ガイド溝部材
１０４    …  スライド孔
１０５    …  長尺アングル
１０６    …  係止ボルト
１０７    …  係止ナット
１０８    …  係止ボルト貫通孔
１０９    …  切り欠き部
１１０    …  貫通孔
１１１    …  アンカーボルト
１１２    …  アンカーボルト係止ナット
１１３    …  掩蓋部
１１４    …  上縁肩部材
１１５    …  上縁部連接部材
１１６    …  上縁部固定部材
１１７    …  コの字金具
【図１】
0003145456.tif 000003
【図２】
0003145456.tif 000004
【図３】
0003145456.tif 000005
【図４】
0003145456.tif 000006
【図５】
0003145456.tif 000007
【図６】
0003145456.tif 000008
【図７】
0003145456.tif 000009
【図８】
0003145456.tif 000010
【図９】
0003145456.tif 000011
【図１０】
0003145456.tif 000012
【図１１】
0003145456.tif 000013